(57)【特許請求の範囲】
【請求項１】
一対のアダプター間でアナログ映像信号又はデジタル映像信号、制御信号、音声信号のいずれか又はその幾つかの組み合わせの光伝送を行う光伝送システム用アダプターであって、各信号をＣＷＤＭやＤＷＤＭのように複数の周波数を１本の光ケーブルにする光分光器を一対の双方に配置して使用する際、光ケーブルの内部反射率と複数の周波数帯域での光強度の少なくとも一方を表示部に表示可能である、光伝送システム用アダプター。
【請求項２】
請求項１に記載のアダプターであって、前記光ケーブルの内部反射率を表示できる光強度を前記表示部に表示可能である、光伝送システム用アダプター。
【請求項３】
請求項１又は請求項２に記載のアダプターであって、複数の周波数帯域での光強度を前記表示部に表示可能である、光伝送システム用アダプター。
【請求項４】
請求項１〜請求項３の何れか１つに記載のアダプターであって、各信号をＣＷＤＭやＤＷＤＭのように複数の周波数を１本の光ケーブルにする光分光器を一対の双方に配置して使用する際、表示部に２種類または複数のアワーメーターを表示可能である、光伝送システム用アダプター。
【請求項５】
請求項１〜請求項４の何れか１つに記載のアダプターであって、各信号をＣＷＤＭやＤＷＤＭのように複数の周波数を１本の光ケーブルにする光分光器を一対の双方に配置して使用する際、ＰＴＰクロックの同期を必要とする機器を接続することができ、その同期信号を伝送された光伝送装置の相手側でＰＴＰクロック対応の回路を有する、光伝送システム用アダプター。
【請求項６】
請求項１〜請求項５の何れか１つに記載のアダプターであって、各信号をＣＷＤＭやＤＷＤＭのように複数の周波数を１本の光ケーブルにする光分光器を一対の双方に配置して使用する際、インターカム２回線を送ることができるＴＷ仕様のインターカムを第１光伝送システム用アダプターに接続し、第２光伝送システム用アダプターにＲＷ仕様のインターカムを直接接続することが可能である、光伝送システム用アダプター。
【請求項７】
請求項１〜請求項６の何れか１つに記載のアダプターであって、各信号をＣＷＤＭやＤＷＤＭのように複数の周波数を１本の光ケーブルにする光分光器を一対の双方に配置して使用する際、プロンプター用映像信号を伝送し、第１光伝送システム用アダプターにプロンプター専用リモコン端子を有しプロンプター用リモコンが接続でき、第２カメラアダプターに外部接続されたプロンプターのプロンプター専用リモコン端子を接続でき、第１光伝送システム用アダプターよりプロンプターの制御が可能な端子を有する、光伝送システム用アダプター。
【請求項８】
請求項１〜請求項７の何れか１つに記載のアダプターであって、第１光伝送システム用アダプターから第２光伝送システム用アダプターまたはその逆方向に、一方のアダプター側から呼び出しボタンを押すことによりもう一方のＬＥＤランプが点灯または点滅して表示し、またはブザーの音で知らせ、ブザーまたはＬＥＤランプのどちらか一方またはその両方で相手を呼ぶことができる、光伝送システム用アダプター。
【請求項９】
請求項１〜請求項８の何れか１つに記載のアダプターであって、第１光アダプターに電源が接続され、第２光アダプターがケーブルを介して第１光アダプターに接続された際に、第２光アダプターの電源スイッチを入れなくても第１光アダプターの電力を第２光アダプターの電源スイッチの前に横取りして、インターカム回線が、第１光アダプターが接続されたら常時インターカム回線が電源が入ったままになる回路を有して常時コミュニケーションが可能になり、通話ができる、光伝送システム用アダプター。
【請求項１０】
請求項１〜請求項９の何れか１つに記載のアダプターであって、光アダプターへ接続されたタリー信号が入力した際に連動して光アダプター内部のＦＡＮを停止する、光伝送システム用アダプター。
【請求項１１】
請求項１〜請求項１０の何れか１つに記載のアダプターであって、光アダプターに接続されたタリー信号が来た際に連動して光アダプター内部のＦＡＮを停止し、そのＦＡＮの停止時間を変更できる、光伝送システム用アダプター。
【請求項１２】
請求項１〜請求項１１の何れか１つに記載のアダプターであって、光アダプターにカラーバージェネレーターを内蔵し、出力する、光伝送システム用アダプター。
【請求項１３】
請求項１〜請求項１２の何れか１つに記載のアダプターであって、光アダプターに３Ｇｂｐｓや１２Ｇｂｐｓなどの任意のデータ量のカラーバージエネレーターを内蔵し、出力する、光伝送システム用アダプター。
【請求項１４】
請求項１〜請求項１３の何れか１つに記載のアダプターであって、光アダプターに接続される機器ヘの音声基準信号を発生する１ｋＨｚの音声信号発生回路を内蔵し、出力する、光伝送システム用アダプター。
【請求項１５】
請求項１〜請求項１４の何れか１つに記載のアダプターであって、光アダプターにカラーバー信号を発生させた際に同時に１ｋＨｚの音声基準信号が連動して、映像カラーバーと音声基準信号が同時に発生、送信できる回路を内蔵し、出力する、光伝送システム用アダプター。
【請求項１６】
請求項１〜請求項１５の何れか１つに記載のアダプターであって、第１光アダプターにタイムコード信号が接続でき、そのタイムコード信号のスルーアウト出力端子を有する、光伝送システム用アダプター。
【請求項１７】
請求項１〜請求項１６の何れか１つに記載のアダプターであって、前記一対のアダプターのいずれかまたはその両方にタイムコードジェネレーターを内蔵し、出力する、光伝送システム用アダプター。
【請求項１８】
請求項１〜請求項１７の何れか１つに記載のアダプターであって、前記一対のアダプターのいずれかまたはその両方にブラックバースト信号のジェネレーターを内蔵し、出力する、光伝送システム用アダプター。
【請求項１９】
請求項１〜請求項１８の何れか１つに記載のアダプターであって、各信号をＣＷＤＭやＤＷＤＭのように複数の周波数を１本の光ケーブルにする光分光器を１対の双方に配置して使用する際、放送用ＳＭＰＴＥケーブルには２回線の光ケーブルが入っているため、分光器からの信号を２つに分け同じ光信号を１本のＳＭＰＴＥケーブルの２回線の光ケーブルに同時に同じ信号を送ることができる、光伝送システム用アダプター。
【請求項２０】
請求項１〜請求項１９の何れか１つに記載のアダプターであって、各信号をＣＷＤＭやＤＷＤＭのように複数の周波数を１本の光ケーブルにする光分光器を一対の双方に配置して使用する際、放送用ＳＭＰＴＥケーブルには２回線の光ケーブルが入っているため、分光器からの信号を光スイッチを使用してどちらか片方で光伝送し、信号が途切れた場合に光スイッチが切り替えてもう一方の光ケーブルに切り替えて送ることができる、光伝送システム用アダプター。
【請求項２１】
請求項１〜請求項２０の何れか１つに記載のアダプターであって、入力電源ソースをそのアダプターの画面で表示でき、また接続された相手側の光伝送システム用アダプターにも、何の電源ソースで駆動されているかを表示できる機能を有する、光伝送システム用アダプター。
【請求項２２】
請求項１〜請求項２１の何れか１つに記載のアダプターであって、入力されたデジタル映像信号のデータ量をダウンコンバートさせた映像をスルーアウト端子に出力できる機能を有する、光伝送システム用アダプター。
【請求項２３】
請求項１〜請求項２２の何れか１つに記載のアダプターであって、前記一対のアダプターのいずれかまたはその両方にリターン信号をモニターへ切り替えるための信号をリモコンなどから送った際、もう一方のアダプターに入力されたリターン信号を選択できる、光伝送システム用アダプター。
【請求項２４】
請求項１〜請求項２３の何れか１つに記載のアダプターであって、インターカムの音量レベルを、インジケーターで可視化する機能を有する、光伝送システム用アダプター。
【請求項２５】
請求項１〜請求項２４の何れか１つに記載のアダプターであって、互いの光伝送システム用アダプターにクリアーカムの親機および子機が接続されている場合、クリアーカムの親機に電源が入っている時のみ子機にも電源が供給される機能を有する、光伝送システム用アダプター。
【発明の詳細な説明】
【技術分野】
【０００１】
本発明は、一対のアダプター間でアナログ映像信号又はデジタル映像信号の光伝送を行う光伝送システム用アダプターに関する。
【背景技術】
【０００２】
ビデオカメラで撮影された映像の映像信号は、伝送ケーブルを介して、ビデオスイッチャーなどに送られるが、これらの機器が遠方に設置されている場合、電気信号を減衰させずに伝送することは困難なので、ビデオカメラ側で電気信号を光信号に変換し、この光信号を光伝送ケーブルを介して伝送し、遠方機器側で光信号を電気信号に変換することによって、長距離伝送が行われている（特許文献１を参照）。
【先行技術文献】
【特許文献】
【０００３】
【特許文献１】特開２００６−１９１１６１号公報
【発明の概要】
【発明が解決しようとする課題】
【０００４】
４Ｋ放送や８Ｋ放送がＢＳなどで開始されて以降、高精細な映像の需要が非常に高まってきている。撮影では１２Ｇ−ＳＤＩや３Ｇ−ＳＤＩを４本使用していることが多い。８Ｋ放送のためには、１２Ｇ−ＳＤＩを４本使用する場合が主である。しかし、１２Ｇ−ＳＤＩではＢＮＣケーブルの伝送距離が非常に短く、光ケーブルにより長距離伝送が求められている。
【０００５】
光ケーブルを用いた伝送を行うためのアダプターは、今日では放送業務用機器として使われている。しかし、１２Ｇ−ＳＤＩなどの映像信号だけでなく、光ケーブルを使用したアダプターには音声信号やタイムコード、インターカムなど多くの信号を伝送する用途があり、多機能化が多く求められている。
【０００６】
また、光伝送装置の内容が一目でわかるような液晶表示部も今日では使われているが、光伝送に関しての環境としての内容を知る需要も高まっており、安定した運用を行うためにも、これらの改善が急務となる。
【０００７】
上記の事情を元に、撮影現場の利便性、快適性を向上させるため、本発明の出願に至った。
【課題を解決するための手段】
【０００８】
本発明によれば、一対のアダプター間でアナログ映像信号又はデジタル映像信号、制御信号、音声信号のいずれか又はその幾つかの組み合わせの光伝送を行う光伝送システム用アダプターであって、各信号をＣＷＤＭやＤＷＤＭのように複数の周波数を１本の光ケーブルにする光分光器を一対の双方に配置して使用する際、光ケーブルの内部反射率と複数の光強度の少なくとも一方を表示部に表示可能である、光伝送システム用アダプターが提供される。
【０００９】
好ましくは、前記記載のアダプターであって、前記光ケーブルの内部反射率を表示できる光強度を前記表示部に表示可能である、光伝送システム用アダプターである。
好ましくは、前記記載のアダプターであって、複数の光強度を前記表示部に表示可能である、光伝送システム用アダプターである。
好ましくは、前記記載のアダプターであって、各信号をＣＷＤＭやＤＷＤＭのように複数の周波数を１本の光ケーブルにする光分光器を一対の双方に配置して使用する際、表示部に２種類または複数のアワーメーターを表示可能である、光伝送システム用アダプターである。
好ましくは、前記記載のアダプターであって、各信号をＣＷＤＭやＤＷＤＭのように複数の周波数を１本の光ケーブルにする光分光器を一対の双方に配置して使用する際、ＰＴＰクロックの同期を必要とする機器を接続することができ、その同期信号を伝送された光伝送装置の相手側でＰＴＰクロック対応の回路を有する、光伝送システム用アダプターである。
好ましくは、前記記載のアダプターであって、各信号をＣＷＤＭやＤＷＤＭのように複数の周波数を１本の光ケーブルにする光分光器を一対の双方に配置して使用する際、インターカム２回線を送ることができるＴＷ仕様のインターカムを第１光伝送システム用アダプターに接続し、第２光伝送システム用アダプターにＲＷ仕様のインターカムを直接接続することが可能である、光伝送システム用アダプターである。
好ましくは、前記記載のアダプターであって、各信号をＣＷＤＭやＤＷＤＭのように複数の周波数を１本の光ケーブルにする光分光器を一対の双方に配置して使用する際、プロンプター用映像信号を伝送し、第１光伝送システム用アダプターにプロンプター専用リモコン端子を有しプロンプター用リモコンが接続でき、第２カメラアダプターに外部接続されたプロンプターのプロンプター専用リモコン端子を接続でき、第１光伝送システム用アダプターよりプロンプターの制御が可能な端子を有する、光伝送システム用アダプターである。
好ましくは、前記記載のアダプターであって、第１光伝送システム用アダプターから第２光伝送システム用アダプターまたはその逆方向に、一方のアダプター側から呼び出しボタンを押すことによりもう一方のＬＥＤランプが点灯または点滅して表示し、またはブザーの音で知らせ、ブザーまたはＬＥＤランプのどちらか一方またはその両方で相手を呼ぶことができる、光伝送システム用アダプターである。
好ましくは、前記記載のアダプターであって、第１光アダプターに電源が接続され、第２光アダプターがケーブルで接続された際に、第２光アダプターの電源スイッチを入れなくても第１光アダプターの電力を第２光アダプターの電源スイッチの前に横取りして、インターカム回線が、第１光アダプターが接続されたら常時インターカム回線が電源が入ったままになる回路を有して常時コミュニケーションが可能になり、通話ができる、光伝送システム用アダプターである。
好ましくは、前記記載のアダプターであって、光アダプターへ接続されたタリー信号が入力した際に連動して光アダプター内部のＦＡＮを停止する、光伝送システム用アダプターである。
好ましくは、前記記載のアダプターであって、光アダプターに接続されたタリー信号が来た際に連動して光アダプター内部のＦＡＮを停止し、そのＦＡＮの停止時間を変更できる、光伝送システム用アダプターである。
好ましくは、前記記載のアダプターであって、第１光アダプターにビデオスイッチャーに接続されたタリー信号を別の第１光アダプターにデイジーチェーンして２台または複数台接続できる、光伝送システム用アダプターである。
好ましくは、前記記載のアダプターであって、第１光アダプターにビデオスイッチャーに接続されたタリー信号を別の第１光アダプターにデイジーチェーンして２台または複数台接続でき、そのタリー信号が何番で光るかを選択してタリー信号がスイッチャーから来た場合その任意で設定したカメラ番号で光るように設定可能な機能を有する、光伝送システム用アダプターである。
好ましくは、前記記載のアダプターであって、光アダプターにカラーバージェネレーターを内蔵し、出力する、光伝送システム用アダプターである。
好ましくは、前記記載のアダプターであって、光アダプターに３Ｇｂｐｓや１２Ｇｂｐｓなどの任意のデータ量のカラーバージエネレーターを内蔵し、出力する、光伝送システム用アダプターである。
好ましくは、前記記載のアダプターであって、光アダプターに接続される機器ヘの音声基準信号を発生する１ｋＨｚの音声信号発生回路を内蔵し、出力する、光伝送システム用アダプターである。
好ましくは、前記記載のアダプターであって、光アダプターにカラーバー信号を発生させた際に同時に１ｋＨｚの音声基準信号が連動して、映像カラーバーと音声基準信号が同時に発生、送信できる回路を内蔵し、出力する、光伝送システム用アダプターである。
好ましくは、前記記載のアダプターであって、第１光アダプターにタイムコード信号が接続でき、そのタイムコード信号のスルーアウト出力端子を有する、光伝送システム用アダプターである。
好ましくは、前記記載のアダプターであって、第１光アダプターまたは第２光アダプターのいずれかまたはその両方にタイムコードジェネレーターを内蔵し、出力する、光伝送システム用アダプターである。
好ましくは、前記記載のアダプターであって、第１光アダプターまたは第２光アダプターのいずれかまたはその両方にブラックバースト信号のジェネレーターを内蔵し、出力する、光伝送システム用アダプターである。
好ましくは、前記記載のアダプターであって、複数の第１光アダプターをリンクケーブルで接続し、第１光アダプター同士で情報通信が可能で、その他の第１光アダプターの内容を読み取り、表示することが可能である、光伝送システム用アダプターである。
好ましくは、前記記載のアダプターであって、各信号をＣＷＤＭやＤＷＤＭのように複数の周波数を１本の光ケーブルにする光分光器を１対の双方に配置して使用する際、放送用ＳＭＰＴＥケーブルには２回線の光ケーブルが入っているため、分光器からの信号を２つに分け同じ光信号を１本のＳＭＰＴＥケーブルの２回線の光ケーブルに同時に同じ信号を送ることができる、光伝送システム用アダプターである。
好ましくは、前記記載のアダプターであって、各信号をＣＷＤＭやＤＷＤＭのように複数の周波数を１本の光ケーブルにする光分光器を一対の双方に配置して使用する際、放送用ＳＭＰＴＥケーブルには２回線の光ケーブルが入っているため、分光器からの信号を光スイッチを使用してどちらか片方で光伝送し、信号が途切れた場合に光スイッチが切り替えてもう一方の光ケーブルに切り替えて送ることができる、光伝送システム用アダプターである。
好ましくは、前記記載のアダプターであって、入力電源ソースをそのアダプターの画面で表示でき、また接続された相手側の光伝送システム用アダプターにも、何の電源ソースで駆動されているかを表示できる機能を有する、光伝送システム用アダプターである。
好ましくは、前記記載のアダプターであって、入力されたデジタル映像信号のデータ量をダウンコンバートさせた映像をスルーアウト端子に出力できる機能を有する、光伝送システム用アダプターである。
好ましくは、前記記載のアダプターであって、第１光アダプターまたは第２光アダプターのいずれかまたはその両方にリターン信号をモニターへ切り替えるための信号をリモコンなどから送った際、もう一方のアダプターに入力されたリターン信号を選択できる、光伝送システム用アダプターである。
好ましくは、前記記載のアダプターであって、インターカムの音量レベルを、インジケーターで可視化する機能を有する、光伝送システム用アダプターである。
好ましくは、前記記載のアダプターであって、互いの光伝送システム用アダプターにクリアーカムの親機および子機が接続されている場合、クリアーカムの親機に電源が入っている時のみ子機にも電源が供給される機能を有する、光伝送システム用アダプターである。
【図面の簡単な説明】
【００１０】
【図１】本発明の一実施形態の光伝送システムを示すブロック図である。
【図２】本発明の一実施形態の詳細の光伝送システムを示す別図Ａである。
【図３】本発明の一実施形態の詳細の光伝送システムを示す別図Ｂである。
【図４】本発明の一実施形態の詳細の光伝送システムを示す別図Ｃである。
【発明を実施するための形態】
【００１１】
本発明は、以下の発明を提供するものでもある。以下、発明は、適宜、組み合わせることも可能である。
【００１２】
第１の発明は、一対のアダプター間でアナログ映像信号又はデジタル映像信号、制御信号、音声信号のいずれか又はその幾つかの組み合わせの光伝送を行う光伝送システム用アダプターであって、各信号をＣＷＤＭやＤＷＤＭのように複数の周波数を１本の光ケーブルにする光分光器を一対の双方に配置して使用する際、表示部に２つまたは複数の光強度を表示可能である、光伝送システム用アダプターである。
【００１３】
第２の発明は、一対のアダプター間でアナログ映像信号又はデジタル映像信号、制御信号、音声信号のいずれか又はその幾つかの組み合わせの光伝送を行う光伝送システム用アダプターであって、各信号をＣＷＤＭやＤＷＤＭのように複数の周波数を１本の光ケーブルにする光分光器を一対の双方に配置して使用する際、表示部に光ケーブルの内部反射率を表示できる光強度を表示可能である、光伝送システム用アダプターである。
第３の発明は、一対のアダプター間でアナログ映像信号又はデジタル映像信号、制御信号、音声信号のいずれか又はその幾つかの組み合わせの光伝送を行う光伝送システム用アダプターであって、各信号をＣＷＤＭやＤＷＤＭのように複数の周波数を１本の光ケーブルにする光分光器を一対の双方に配置して使用する際、表示部に光強度と光ケーブルの内部反射率を同時に表示できる光強度を表示する、光伝送システム用アダプターである。
第４の発明は、一対のアダプター間でアナログ映像信号又はデジタル映像信号、制御信号、音声信号のいずれか又はその幾つかの組み合わせの光伝送を行う光伝送システム用アダプターであって、各信号をＣＷＤＭやＤＷＤＭのように複数の周波数を１本の光ケーブルにする光分光器を一対の双方に配置して使用する際、表示部に２種類または複数のアワーメーターを表示可能である、光伝送システム用アダプターである。
第５の発明は、一対のアダプター間でアナログ映像信号又はデジタル映像信号、制御信号、音声信号のいずれか又はその幾つかの組み合わせの光伝送を行う光伝送システム用アダプターであって、各信号をＣＷＤＭやＤＷＤＭのように複数の周波数を１本の光ケーブルにする光分光器を一対の双方に配置して使用する際、ＰＴＰクロックの同期を必要とする機器を接続することができ、その同期信号を伝送された光伝送装置の相手側でＰＴＰクロック対応の回路を有する、光伝送システム用アダプターである。
第６の発明は、一対のアダプター間でアナログ映像信号又はデジタル映像信号、制御信号、音声信号のいずれか又はその幾つかの組み合わせの光伝送を行う光伝送システム用アダプターであって、各信号をＣＷＤＭやＤＷＤＭのように複数の周波数を１本の光ケーブルにする光分光器を一対の双方に配置して使用する際、インターカム２回線を送ることができるＴＷ仕様のインターカムを第１光伝送システム用アダプターに接続し、第２光伝送システム用アダプターにＲＷ仕様のインターカムを直接接続することが可能である、光伝送システム用アダプターである。
第７の発明は、一対のアダプター間でアナログ映像信号又はデジタル映像信号、制御信号、音声信号のいずれか又はその幾つかの組み合わせの光伝送を行う光伝送システム用アダプターであって、各信号をＣＷＤＭやＤＷＤＭのように複数の周波数を１本の光ケーブルにする光分光器を一対の双方に配置して使用する際、プロンプター用映像信号を伝送し、第１光伝送システム用アダプターにプロンプター専用リモコン端子を有しプロンプター用リモコンが接続でき、第２カメラアダプターに外部接続されたプロンプターのプロンプター専用リモコン端子を接続でき、第１光伝送システム用アダプターよりプロンプターの制御が可能な端子を有する、光伝送システム用アダプターである。
第８の発明は、一対のアダプター間でアナログ映像信号又はデジタル映像信号、制御信号、音声信号のいずれか又はその幾つかの組み合わせの光伝送を行う光伝送システム用アダプターであって、第１光伝送システム用アダプターから第２光伝送システム用アダプターまたはその逆方向に、一方のアダプター側から呼び出しボタンを押すことによりもう一方のＬＥＤランプが点灯または点滅して表示し、またはブザーの音で知らせ、ブザーまたはＬＥＤランプのどちらか一方またはその両方で相手を呼ぶことができる、光伝送システム用アダプターである。
第９の発明は、一対のアダプター間でアナログ映像信号又はデジタル映像信号、制御信号、音声信号のいずれか又はその幾つかの組み合わせの光伝送を行う光伝送システム用アダプターであって、第１光アダプターに電源が接続され、第２光アダプターがケーブルで接続された際に、第２光アダプターの電源スイッチを入れなくても第１光アダプターの電力を第２光アダプターの電源スイッチの前に横取りして、インターカム回線が、第１光アダプターが接続されたら常時インターカム回線が電源が入ったままになる回路を有して常時コミュニケーションが可能になり、通話ができる、光伝送システム用アダプターである。
第１０の発明は、一対のアダプター間でアナログ映像信号又はデジタル映像信号、制御信号、音声信号のいずれか又はその幾つかの組み合わせの光伝送を行う光伝送システム用アダプターであって、光アダプターへ接続されたタリー信号が入力した際に連動して光アダプター内部のＦＡＮを停止する、光伝送システム用アダプターである。
第１１の発明は、一対のアダプター間でアナログ映像信号又はデジタル映像信号、制御信号、音声信号のいずれか又はその幾つかの組み合わせの光伝送を行う光伝送システム用アダプターであって、光アダプターに接続されたタリー信号が来た際に連動して光アダプター内部のＦＡＮを停止し、そのＦＡＮの停止時間を変更できる、光伝送システム用アダプターである。
第１２の発明は、一対のアダプター間でアナログ映像信号又はデジタル映像信号、制御信号、音声信号のいずれか又はその幾つかの組み合わせの光伝送を行う光伝送システム用アダプターであって、第１光アダプターにビデオスイッチャーに接続されたタリー信号を別の第１光アダプターにデイジーチェーンして２台または複数台接続できる、光伝送システム用アダプターである。
第１３の発明は、一対のアダプター間でアナログ映像信号又はデジタル映像信号、制御信号、音声信号のいずれか又はその幾つかの組み合わせの光伝送を行う光伝送システム用アダプターであって、第１光アダプターにビデオスイッチャーに接続されたタリー信号を別の第１光アダプターにデイジーチェーンして２台または複数台接続でき、そのタリー信号が何番で光るかを選択してタリー信号がスイッチャーから来た場合その任意で設定したカメラ番号で光るように設定可能な機能を有する、光伝送システム用アダプターである。
第１４の発明は、一対のアダプター間でアナログ映像信号又はデジタル映像信号、制御信号、音声信号のいずれか又はその幾つかの組み合わせの光伝送を行う光伝送システム用アダプターであって、光アダプターにカラーバージェネレーターを内蔵し、出力する、光伝送システム用アダプターである。
第１５の発明は、一対のアダプター間でアナログ映像信号又はデジタル映像信号、制御信号、音声信号のいずれか又はその幾つかの組み合わせの光伝送を行う光伝送システム用アダプターであって、光アダプターに３Ｇｂｐｓや１２Ｇｂｐｓなどの任意のデータ量のカラーバージエネレーターを内蔵し、出力する、光伝送システム用アダプターである。
第１６の発明は、一対のアダプター間でアナログ映像信号又はデジタル映像信号、制御信号、音声信号のいずれか又はその幾つかの組み合わせの光伝送を行う光伝送システム用アダプターであって、光アダプターに接続される機器ヘの音声基準信号を発生する１ｋＨｚの音声信号発生回路を内蔵し、出力する、光伝送システム用アダプターである。
第１７の発明は、一対のアダプター間でアナログ映像信号又はデジタル映像信号、制御信号、音声信号のいずれか又はその幾つかの組み合わせの光伝送を行う光伝送システム用アダプターであって、光アダプターにカラーバー信号を発生させた際に同時に１ｋＨｚの音声基準信号が連動して、映像カラーバーと音声基準信号が同時に発生、送信できる回路を内蔵し、出力する、光伝送システム用アダプターである。
第１８の発明は、一対のアダプター間でアナログ映像信号又はデジタル映像信号、制御信号、音声信号のいずれか又はその幾つかの組み合わせの光伝送を行う光伝送システム用アダプターであって、第１光アダプターにタイムコード信号が接続でき、そのタイムコード信号のスルーアウト出力端子を有する、光伝送システム用アダプターである。
第１９の発明は、一対のアダプター間でアナログ映像信号又はデジタル映像信号、制御信号、音声信号のいずれか又はその幾つかの組み合わせの光伝送を行う光伝送システム用アダプターであって、第１光アダプターまたは第２光アダプターのいずれかまたはその両方にタイムコードジェネレーターを内蔵し、出力する、光伝送システム用アダプターである。
第２０の発明は、一対のアダプター間でアナログ映像信号又はデジタル映像信号、制御信号、音声信号のいずれか又はその幾つかの組み合わせの光伝送を行う光伝送システム用アダプターであって、第１光アダプターまたは第２光アダプターのいずれかまたはその両方にブラックバースト信号のジェネレーターを内蔵し、出力する、光伝送システム用アダプターである。
第２１の発明は、一対のアダプター間でアナログ映像信号又はデジタル映像信号、制御信号、音声信号のいずれか又はその幾つかの組み合わせの光伝送を行う光伝送システム用アダプターであって、複数の第１光アダプターをリンクケーブルで接続し、第１光アダプター同士で情報通信が可能で、その他の第１光アダプターの内容を読み取り、表示することが可能である、光伝送システム用アダプターである。
第２２の発明は、一対のアダプター間でアナログ映像信号又はデジタル映像信号、制御信号、音声信号のいずれか又はその幾つかの組み合わせの光伝送を行う光伝送システム用アダプターであって、各信号をＣＷＤＭやＤＷＤＭのように複数の周波数を１本の光ケーブルにする光分光器を１対の双方に配置して使用する際、放送用ＳＭＰＴＥケーブルには２回線の光ケーブルが入っているため、分光器からの信号を２つに分け同じ光信号を１本のＳＭＰＴＥケーブルの２回線の光ケーブルに同時に同じ信号を送ることができる、光伝送システム用アダプターである。
第２３の発明は、一対のアダプター間でアナログ映像信号又はデジタル映像信号、制御信号、音声信号のいずれか又はその幾つかの組み合わせの光伝送を行う光伝送システム用アダプターであって、各信号をＣＷＤＭやＤＷＤＭのように複数の周波数を１本の光ケーブルにする光分光器を一対の双方に配置して使用する際、放送用ＳＭＰＴＥケーブルには２回線の光ケーブルが入っているため、分光器からの信号を光スイッチを使用してどちらか片方で光伝送し、信号が途切れた場合に光スイッチが切り替えてもう一方の光ケーブルに切り替えて送ることができる、光伝送システム用アダプターである。
第２４の発明は、一対のアダプター間でアナログ映像信号又はデジタル映像信号、制御信号、音声信号のいずれか又はその幾つかの組み合わせの光伝送を行う光伝送システム用アダプターであって、入力電源ソースをそのアダプターの画面で表示でき、また接続された相手側の光伝送システム用アダプターにも、何の電源ソースで駆動されているかを表示できる機能を有する、光伝送システム用アダプターである。
第２５の発明は、一対のアダプター間でアナログ映像信号又はデジタル映像信号、制御信号、音声信号のいずれか又はその幾つかの組み合わせの光伝送を行う光伝送システム用アダプターであって、入力されたデジタル映像信号のデータ量をダウンコンバートさせた映像をスルーアウト端子に出力できる機能を有する、光伝送システム用アダプターである。
第２６の発明は、一対のアダプター間でアナログ映像信号又はデジタル映像信号、制御信号、音声信号のいずれか又はその幾つかの組み合わせの光伝送を行う光伝送システム用アダプターであって、第１光アダプターまたは第２光アダプターのいずれかまたはその両方にリターン信号をモニターへ切り替えるための信号をリモコンなどから送った際、もう一方のアダプターに入力されたリターン信号を選択できる、光伝送システム用アダプターである。
第２７の発明は、一対のアダプター間でアナログ映像信号又はデジタル映像信号、制御信号、音声信号のいずれか又はその幾つかの組み合わせの光伝送を行う光伝送システム用アダプターであって、インターカムの音量レベルを、インジケーターで可視化する機能を有する、光伝送システム用アダプターである。
第２８の発明は、一対のアダプター間でアナログ映像信号又はデジタル映像信号、制御信号、音声信号のいずれか又はその幾つかの組み合わせの光伝送を行う光伝送システム用アダプターであって、互いの光伝送システム用アダプターにクリアーカムの親機および子機が接続されている場合、クリアーカムの親機に電源が入っている時のみ子機にも電源が供給される機能を有する、光伝送システム用アダプターである。
【００１４】
以下、図面を用いて本発明の実施形態について説明する。以下に示す実施形態中で示した各種特徴事項は、互いに組み合わせ可能である。また、各特徴事項について独立して発明が成立する。
【００１５】
以下、図１〜図４を用いて、本発明の一実施形態の光伝送システムについて説明する。本実施形態の光伝送システムは第１アダプターＡと第２アダプターＢ間の通信を行った際に、ＤＷＤＭまたはＣＷＤＭのために使用される分光器を用いて、その際に光強度が一番強い周波数帯域と光強度が一番低い周波数帯域を判別し、液晶表示部ａ１およびｂ１にそれぞれ表示を行う。第１の発明の説明
【００１６】
本実施形態の光伝送システムは第１アダプターと第２アダプター間の通信を行った際に、ＤＷＤＭまたはＣＷＤＭのために使用される分光器ａ１３およびｂ１３を用いて、第１アダプターと第２アダプターをつなぐ光ケーブルＣの中で発生している内部反射率を識別し、液晶表示部ａ１およびｂ１にそれぞれ表示を行う。第２の発明および第３の発明の説明
【００１７】
本実施形態の光伝送システムは第１アダプターＡと第２アダプターＢ間の通信を行った際に、前記表示部に１種類または２種類以上のアワーメーターｚ６を設ける。アワーメーターの表示に関しては、目的に応じて数個使用するため、表示の個数を液晶表示基板ａ１３およびｂ１３より操作する場合がある。第４の発明の説明。
【００１８】
本実施形態の光伝送システムは第１アダプターＡと第２アダプターＢ間の通信を行った際に、ＰＴＰクロックの同期を必要とする機器Ｄ１およびＤ２をケーブルＭ１及びＭ９で接続した際、ＰＴＰクロックの接続に対応するための回路基板ａ３があり、相手側アダプターにもＰＴＰクロックの同期に対応した回路基板ｂ３があり、通信を可能にする。第５の発明の説明
【００１９】
本実施形態の光伝送システムは第１アダプターＡと第２アダプターＢ間の通信を行った際に、第１アダプターＡに２回線送ることが可能なＴＷ仕様のインターカムＥ１をケーブルＭ２で取り付け、また第２アダプターＢにも対応したＲＷ仕様のインターカムＥ２をＭ１０で取り付ける。第６の発明の説明
【００２０】
本実施形態の光伝送システムは第１アダプターＡと第２アダプターＢ間の通信を行った際に、プロンプターに対しての映像信号を伝送して、また第１アダプターＡにプロンプター操作用リモコン端子があり、端子にプロンプター操作用リモコンＦ１をケーブルＭ３でつける。第２アダプターＢにリモコン信号の出力端子があり、プロンプターＦ２にケーブルＭ１１で接続することで第１アダプターＡからプロンプターＦ２の制御を可能にする。第７の発明の説明
【００２１】
本実施形態の光伝送システムは第１アダプターＡと第２アダプターＢ間の通信を行った際に、第１アダプターＡと第２アダプターＢの内部に呼び出しボタンＧ１とブザーＧａ２、またＬＥＤ  Ｇａ１をケーブルＭ４及びＭ１２、Ｍ１３で取り付ける。第１アダプターＡから第２アダプターＢへ、または第２アダプターＢから第１アダプターＡに双方向で相手側の呼び出しに対してブザーＧａ２およびＬＥＤ  Ｇａ１で通知を行う。第８の発明の説明
【００２２】
本実施形態の光伝送システムは第１アダプターＡと第２アダプターＢ間の通信を行った際に、第１アダプターＡから第２アダプターＢに光ケーブルを用いて電源供給を行う際、従来であれば第１アダプターＡから第２アダプターＢに直接電源が供給され、それがスイッチとして機能するが、第２アダプターＢの電源を供給する前に第２アダプターＢに接続されたＴＷインターカムＥ２にＭ１４で電源を分配し、第２アダプターの電源の有無にかかわらずＴＷインターカムＥ２に常時電源を供給することを行う。第９の発明の説明。
【００２３】
本実施形態の光伝送システムは第１アダプターＡと第２アダプターＢ間の通信を行った際に、双方のＦＡＮａ４およびｂ４に対し、接点または電圧のタリー信号を入力された際に、ＦＡＮａ４およびｂ４に対して電原を入れない機能を装備した基板を設置する。例えば、第１アダプターＡからタリー信号を第２アダプターＢに送ると、自動的にＦＡＮ  ｂ４が止まる。第１０の発明の説明。
【００２４】
本実施形態の光伝送システムは第１アダプターＡと第２アダプターＢ間の通信を行った際に、前記第１アダプターＡと前記第２アダプターＢのＦＡＮａ４およびｂ４停止基板に、停止時間を任意で決めるための基板を設置する。タリー信号が来て、ＦＡＮａ４およびｂ４がストップする際に一定の停止時間を自由に変更することが可能になる。第１１の発明の説明。
【００２５】
本実施形態の光伝送システムは第１アダプターＡと第２アダプターＢ間の通信を行った際に、第１アダプターＡまたは第２アダプターＢに接続されたビデオスイッチャーＩ１をケーブルＭ１８によって接続されたタリー信号をＭ１５によって、別の第１アダプターＢＢに接続し、また別の第１アダプターＢＢにデイジーチェーンをして複数台接続を行う。第１２の発明の説明。
【００２６】
本実施形態の光伝送システムは第１アダプターＡと第２アダプターＢ間の通信を行った際に、第１アダプターまたは第２アダプターに接続されたビデオスイッチャーＩ１に接続されたタリー信号を、別の第１アダプターＡに接続し、また別の第１アダプターＢＢにデイジーチェーンをして複数台接続を行う。その際に、タリー信号が光る番号を選択し、ビデオスイッチャーＩ１から送られてきたタリー信号を任意のカメラＮ１に割り当て、タリー表示ユニットＩ２などで光らせる設定機能を有する。第１３の発明の説明。
【００２７】
本実施形態の光伝送システムは第１アダプターＡと第２アダプターＢ間の通信を行った際に、第１アダプターＡ及び第２アダプターＢのそれぞれに、カラーバーをジェネレートする機能ａ５およびｂ５を有し、出力コネクタＡ１８によりカラーバーを出力する。第１４の発明の説明。
【００２８】
本実施形態の光伝送システムは第１アダプターＡと第２アダプターＢ間の通信を行った際に、第１アダプターＡ及び第２アダプターＢのそれぞれに、３Ｇや１２Ｇなどのデータ量を任意で設定したカラーバーをジェネレートする機能ａ６およびｂ６を有し、また、出力コネクタａ１８及びｂ１８によりカラーバーを出力する。第１５の発明の説明。
【００２９】
本実施形態の光伝送システムは第１アダプターＡと第２アダプターＢ間の通信を行った際に、第１アダプターＡ及び第２アダプターＢのそれぞれに、１ＫＨｚの音声基準信号をジェネレートする機能ａ７およびｂ７を有し、また、出力コネクタａ１９及びｂ１９により１ＫＨｚの音声基準信号を出力する。第１６の発明の説明。
【００３０】
本実施形態の光伝送システムは第１アダプターＡと第２アダプターＢ間の通信を行った際に、第１アダプターＡ及び第２アダプターＢのそれぞれに、前記カラーバーと前記音声基準信号ａ８およびｂ８を同時にジェネレートし、出力コネクタａ１９及びｂ１９より同時に出力する。第１７の発明の説明。
【００３１】
本実施形態の光伝送システムは第１アダプターＡと第２アダプターＢ間の通信を行った際に、第１アダプターＡにタイムコード信号ａ９を接続し、そのタイムコード信号がスルーアウトａ１０として出力され、任意のカメラＮ２やその他機材に接続が可能である。第１８の発明の説明。
【００３２】
本実施形態の光伝送システムは第１アダプターＡと第２アダプターＢ間の通信を行った際に、第１アダプターＡ及び第２アダプターＢのそれぞれに、タイムコード信号ａ１１およびｂ１１をジェネレートし、出力コネクタａ１０およびｂ１０からタイムコード信号を出力する。第１９の発明の説明。
【００３３】
本実施形態の光伝送システムは第１アダプターＡと第２アダプターＢ間の通信を行った際に、第１アダプターＡ及び第２アダプターＢのそれぞれに、ブラックバースト信号ａ１２およびｂ１２をジェネレートし、出力コネクタａ２０およびｂ２０からブラックバースト信号を出力する。第２０の発明の説明。
【００３４】
本実施形態の光伝送システムは第１アダプターＡと第２アダプターＢ間の通信を行った際に、第１アダプターＡ、また別の第１アダプターＢＢを複数リンクケーブルＣ２で接続を行い。第１アダプターの情報内容をリンクケーブルＣ２を用いてその他複数の第１アダプターに読み取らせ、表示をａ１およびｂ１で行う。第２１の発明の説明。
【００３５】
＜光ファイバーケーブルの内容の構成＞
以下、図４を用いて、本発明の一実施形態の光伝送システムについて説明する。本実施形態の光伝送システムは第１アダプターＡと第２アダプターＢ間の通信を行った際に、放送用ＳＭＰＴＥケーブルには２本の光ケーブルＬ１およびＬ２が内蔵されているため、第１アダプターＡおよび第２アダプターＢ内部に、片方のみに光ケーブルにＤＷＤＭやＣＷＤＭなどの周波数の信号を伝送するａ２１およびｂ２１を取り付け、信号が途切れた場合にスイッチを切り替えてもう片方の光ケーブルに伝送する機能をもつ。第２２の発明の説明。
【００３６】
本実施形態の光伝送システムは第１アダプターＡと第２アダプターＢ間の通信を行った際に、放送用ＳＭＰＴＥケーブルには２本の光ケーブルＬ１およびＬ２が内蔵されているため、第１アダプターＡおよび第２アダプターＢ内部に２本の光ケーブルＬ１およびＬ２に対し同時に同様の信号を伝送する。第２３の発明の説明。
【００３７】
本実施形態の光伝送システムは第１アダプターＡと第２アダプターＢ間の通信を行った際に、第１アダプター及び第２アダプターの電源の入力ソースを自動で識別し、液晶表示部ａ１およびｂ１に表示を行う。第１アダプターＡから第２アダプターＢの電源ソースを確認、また第２アダプターから第１アダプターＡの電源ソースを液晶部の電源表示部ｚ２で確認する。第２４の発明の説明。
【００３８】
本実施形態の光伝送システムは第１アダプターＡと第２アダプターＢ間の通信を行った際に、第１アダプター及び第２アダプターＢの映像出力信号のスルーアウトコネクタａ１６に対し、データ量をダウンコンバート回路ａ１５によってダウンコンバートして、映像信号を端子Ａ２１で出力する。第２５の発明の説明。
【００３９】
本実施形態の光伝送システムは第１アダプターＡと第２アダプターＢ間の通信を行った際に、第２アダプターＢから光ケーブルを経由して送られてきたリターン信号を第１アダプターＡから出力する際、複数のリターン信号を第２アダプターＢから映像信号を選択するスイッチａ１７を取り付ける。第１アダプターＡでは選択されたリターン映像を出力し、使用する。第２６の発明の説明。
【００４０】
＜インターカムの説明＞
本実施形態の光伝送システムは第１アダプターＡと第２アダプターＢ間の通信を行った際に、第１アダプターＡ及び第２アダプターＢ間にてインターカムＨ１およびＨ２の通信をケーブルＭ５およびＭ１４で行った場合、それぞれのインターカムＨ１およびＨ２に対し、音声レベルを表示するためのインジケーターｚ１１およびｚ１２、ｚ１３、ｚ１４を搭載する。第２７の発明の説明。
【００４１】
本実施形態の光伝送システムは第１アダプターＡと第２アダプターＢ間の通信を行った際に、互いの光伝送システム用アダプターにクリアーカムの親機ｋ１および子機ｋ２がケーブルＭ８およびＭ１７によって接続されている場合、クリアーカムの親機ｋ１に電源が入っている時のみ子機ｋ２にも電源が供給される機能を有する。第２８の発明の説明。
【符号の説明】
【００４２】
Ａ  第１アダプター
ａ１  第１アダプター表示液晶部
ａ２  第１アダプター光内部反射率センサー
ａ３第１アダプターＰＴＰクロック対応回路
ａ４第１アダプターＦＡＮ
ａ５  第１アダプターカラーバージェネレーター
ａ６  第１アダプター任意のデータ量のカラーバージェネレーター
ａ７  第１アダプター１ｋＨｚ音声信号発生回路
ａ８第１アダプターカラーバー＆１ｋＨｚ音声信号同時発生回路
ａ９第１アダプタータイムコード信号回路
ａ１０第１アダプタータイムコード信号出力端子
ａ１１第１アダプタータイムコードジェネレーター
ａ１２第１アダプターブラックバースト信号ジェネレーター
ａ１３第１アダプター液晶表示基板
ａ１４  第１アダプター分光器
ａ１５  第１アダプターダウンコンバート回路
ａ１６第１アダプター映像スルーアウト端子
ａ１７  第１アダプター映像信号選択スイッチ
ａ１８  第１アダプターカラーバー出力端子
ａ１９  第１アダプター音声基準信号出力端子
ａ２０  第１アダプターブラックバースト信号出力端子
ａ２１  第１アダプター光ファイバー選択スイッチ
ａ２２  第１アダプターダウンコンバート映像出力端子
Ｂ  第２アダプター
ｂ１  第２アダプター表示液晶部
ｂ２  第２アダプター光内部反射率センサー
ｂ３第２アダプターＰＴＰクロック対応回路
ｂ４第２アダプターＦＡＮ
ｂ５  第２アダプターカラーバージェネレーター
ｂ６  第２アダプター任意のデータ量のカラーバージェネレーター
ｂ７  第２アダプター１ｋＨｚ音声信号発生回路
ｂ８第２アダプターカラーバー＆１ｋＨｚ音声信号同時発生回路
ｂ９第２アダプタータイムコード信号回路
ｂ１０第２アダプタータイムコード信号出力端子
ｂ１１第２アダプタータイムコードジェネレーター
ｂ１２第２アダプターブラックバースト信号ジェネレーター
ｂ１３第２アダプター液晶表示基板
ｂ１４  第２アダプター分光器
ｂ１５  第２アダプターダウンコンバート回路
ｂ１６第２アダプター映像スルーアウト端子
ｂ１７  第２アダプター映像信号選択スイッチ
ｂ１８  第２アダプターカラーバー出力端子
ｂ１９  第２アダプター音声基準信号出力端子
ｂ２０  第２アダプターブラックバースト信号出力端子
ｂ２１  第２アダプター光ファイバー選択スイッチ
ｂ２２  第２アダプターダウンコンバート映像出力端子
ＢＢ  デイジーチェーン接続された光伝送システム用アダプター
Ｃ  光伝送ケーブル
Ｃ２  リンクケーブル
Ｄ１  ＰＴＰクロック対応機器
Ｄ２  ＰＴＰクロック対応機器
Ｅ１  ＴＷインターカム
Ｅ２  ＲＷインターカム
Ｆ１  プロンプター用リモコン
Ｆ２  プロンプター
Ｇ１呼び出しボタン
Ｇａ１  ＬＥＤランプ
Ｇａ２  ブザー
Ｈ１  インターカム
Ｈ２  インターカム
Ｉ１  ビデオスイッチャー
Ｉ２タリー表示ユニット
Ｊ１モニター
Ｊ２  リターン切替
Ｋ１クリアーカム親機
Ｋ２クリアーカム子機
Ｌ１  光ファイバー１
Ｌ２  光ファイバー２
Ｌ３  電源線１
Ｌ４  電源線２
Ｌ５  電源線３
Ｌ６  電源線４
Ｌ７  信号線１
Ｌ８  信号線２
Ｍ１第１アダプターとＰＴＰクロック対応機器接続ケーブル
Ｍ２第１アダプターとＴＷインターカム接続ケーブル
Ｍ３第１アダプターとプロンプター用リモコン接続ケーブル
Ｍ４第１アダプターと呼び出しボタン接続ケーブル
Ｍ５第１アダプターとインターカム接続ケーブル
Ｍ６第１アダプターとビデオスイッチャー接続ケーブル
Ｍ７第１アダプターとモニター接続ケーブル
Ｍ８第１アダプターとクリアーカム親機接続ケーブル
Ｍ９第２アダプターとＰＴＰクロック対応機器接続ケーブル
Ｍ１０第２アダプターとＴＷインターカム接続ケーブル
Ｍ１１第２アダプターとプロンプター接続ケーブル
Ｍ１２第２アダプターとＬＥＤランプ接続ケーブル
Ｍ１３第２アダプターとブザー接続ケーブル
Ｍ１４第２アダプターとインターカム接続ケーブル
Ｍ１５カメラとタリー表示ユニット接続ケーブル
Ｍ１６第２アダプターとリターン切替映像接続ケーブル
Ｍ１７第２アダプターとクリアーカム子機接続ケーブル
Ｍ１８第２アダプターとカメラ接続ケーブル１
Ｍ１９第２アダプターとカメラ接続ケーブル２
Ｎ１  光伝送システム用アダプターに接続されたカメラ
Ｎ２  光伝送システム用アダプターに接続されたカメラ
ｚ１  光伝送システム用アダプター表示液晶部ＳＤＩ表示部
ｚ２  光伝送システム用アダプター表示液晶部選択電源表示部
ｚ３  光伝送システム用アダプター表示液晶部ＡＬＬＹ表示部
ｚ４  光伝送システム用アダプター表示液晶部光強度表示部１
ｚ５  光伝送システム用アダプター表示液晶部光強度表示部２
ｚ６光伝送システム用アダプター表示液晶部アワーメーター表示部
ｚ７光伝送システム用アダプター表示液晶部タイムコード表示部
ｚ８光伝送システム用アダプター表示液晶部インターカム表示部
ｚ９光伝送システム用アダプター表示液晶部リモート表示部
ｚ１０光伝送システム用アダプター表示液晶部銘板表示部
ｚ１１  光伝送システム用アダプター表示液晶部アナログ音声インプット側メーター表示部
ｚ１２  光伝送システム用アダプター表示液晶部アナログ音声アウトプット側メーター表示部ｚ１３  光伝送システム用アダプター表示液晶部デジタル音声インプット側メーター表示部
ｚ１４  光伝送システム用アダプター表示液晶部デジタル音声アウトプット側メーター表示部
【要約】
【課題】撮影現場の利便性、快適性を向上させること
【解決手段】本発明によれば、一対のアダプター間でアナログ映像信号又はデジタル映像信号、制御信号、音声信号のいずれか又はその幾つかの組み合わせの光伝送を行う光伝送システム用アダプターであって、各信号をＣＷＤＭやＤＷＤＭのように複数の周波数を１本の光ケーブルにする光分光器を一対の双方に配置して使用する際、光ケーブルの内部反射率と複数の光強度の少なくとも一方を表示部に表示可能である、光伝送システム用アダプターが提供される。
【選択図】図１【図１】
0006962627.tif 000002
【図２】
0006962627.tif 000003
【図３】
0006962627.tif 000004
【図４】
0006962627.tif 000005